(57)【要約】潰れた楕円形状断面を有する煙草の箱（４）は、長手軸線（１６）を参照することができる本質的に延長矩形外形のダイカットブランク（１）から形成されており、長手軸線（１６）に沿って整列されて、二つの中間パネル（１８、１９）と、二つの端パネル（２０、２１）とを備えている。各中間パネル（１８、１９）は、潰れた楕円外形を示し、かつ長手軸線（１６）に対して横断して延びている各直線状境界（２２）に沿って連続した二つのパネル（１７、２０；１７、２１）に接合されており、破断なく直線状で連続した各弧状境界（２３）によって対で相互接続されている。中央パネル（１７）及び端パネル（２０、２１）の各々は、平坦な中央長手領域（２４）と、柔軟にされかつ弧状境界（２３）によって示された湾曲部に適合可能である二つの側長手バンド（２５）とを備え、箱（４）が完成した時に二つの側長手バンド（２５）が湾曲部と合うように形成されている。
2004516200.tif 000002
【特許請求の範囲】
【請求項１】
実質的に潰れた楕円形状の断面を有する煙草の箱を製造するためのダイカットブランクにおいて、
前記ブランクは、関連の箱（４）の長手軸線（５）と平行な長手軸線（１６）を参照することができる実質的に延長矩形外形を備え、前記長手軸線（１６）に沿って整列されて、中央パネル（１７）と、二つの中間パネル（１８、１９）と、二つの端パネル（２０、２１）とを備え、前記二つの中間パネル（１８、１９）の各々は、実質的に潰れた楕円外形を備え、かつ、前記長手軸線（１６）に対して横断して延びている直線状境界（２２）に沿って前記二つの連続したパネル（１７、２０；１７；２１）にそれぞれ接合されており、かつ破断なく直線状で連続して各弧状境界（２３）によって対で相互接続されており、その一方で、前記中央パネル（１７）及び端パネル（２０、２１）は、直線状境界（２２）と一致する長手方向端部で終わっている各平坦な中央長手領域（２４）と、前記弧状境界（２３）に沿って前記中間パネル（１８、１９）と合うように形成された二つの各側長手バンド（２５）とを備えているダイカットブランク。
【請求項２】
前記側バンド（２５）は、柔軟にされ、かつ前記弧状境界（２３）の湾曲部に適合することができる請求項１に記載のブランク。
【請求項３】
前記側バンドは、柔軟にされ、かつエンボス作用によって前記湾曲部に適合することができる請求項２に記載のブランク。
【請求項４】
前記側バンドは、柔軟にされ、かつ複数の長手折り目線（２８）を形成している作用によって前記湾曲部に適合することができる請求項２に記載のブランク。
【請求項５】
フラップ（２６）を備え、前記中間パネル（１８；１９）は前記フラップ（２６）によって前記中央パネル（１７）及び前記端パネル（２０、２１）の各々へ接続されている請求項１〜４のいずれか１項に記載のブランク。
【請求項６】
前記フラップ（２６）は、前記中間パネル（１８、１９）の前記弧状境界（２３）と一体である請求項５に記載のブランク。
【請求項７】
前記フラップ（２６）は、実質的に矩形外形であり、前記長手軸線（１６）に対して横断して延びている請求項６に記載のブランク。
【請求項８】
前記フラップ（２６）は、各々が実質的に三角形外形でありかつ前記弧状境界（２３）から放射状に突出している複数の舌部（３２）を備えている請求項６に記載のブランク。
【請求項９】
前記フラップ（２６）は、前記側バンド（２５）と一体であり、かつ前記長手軸線（１６）と平行に延びている請求項５に記載のブランク。
【請求項１０】
容器（６）と、蓋（７）と、フレーム（２）とを備え、前記フレーム（２）は、各平坦なダイカットブランク（３）から形成され、かつ前記端パネル（２０、２１）の中の一つの前記中央長手領域（２４）に与えられた中央領域（２９）と、前記二つの端パネル（２０、２１）の中の一つの前記側長手バンド（２５）に与えられた二つの各側バンド（３０）とを備えた、強固なタイプの煙草の箱（４）を製造するための請求項１〜９のいずれか１項に記載のブランク。
【請求項１１】
前記フレーム（２）のために使用される前記ブランク（３）の前記側バンド（３０）は、前記箱のブランク（１）の前記中間パネル（１８、１９）によって設けられている前記弧状境界（２３）の湾曲部に前記側バンド（３０）を適合させることができるように柔軟にされている請求項１０に記載のブランク。
【請求項１２】
前記側バンドは、柔軟にされ、エンボス作用によって前記湾曲部に適合することができる請求項１０に記載のブランク。
【請求項１３】
前記側バンドは、柔軟にされ、複数の長手折り目線（３１）を形成する作用によって前記湾曲部に適合することができる請求項１０に記載のブランク。
【発明の詳細な説明】
【０００１】
発明の属する技術分野
本発明は、煙草の箱を製造する時に使用するためのダイカットブランクに関する。
【０００２】
従来の技術
従来技術として、金属箔紙の各内側ラッパ内に予め包囲した一群の煙草を保持することが意図されている、欧州特許第５４５７２３号に開示されている強固なタイプの箱が挙げられる。完全な記載のためにこの欧州特許第５４５７２３号を参照することができる。箱は、内側強化フレームを有する容器と、蓋とを備えている。蓋は、容器にヒンジ留めされており、かつ容器への入口を提供する開位置と、蓋がフレームを覆って滑り嵌めしかつ所定位置に安定して保持される閉位置との間で各ヒンジ線回りで回転することができる。この箱は、実質的に潰れた楕円形状の断面を備え、仕上がった箱の軸線に横断して配置される主軸線を参照することができる平坦な、予め折り目が付けられたダイカットブランクから形成され、容器の側と蓋の側の両方を備えることが意図されている、前記箱の軸線に沿って整列された複数のパネルを備えている。
【０００３】
前述の横断軸線に沿って二組で整列された、実質的に潰れた楕円断面の外形を各々が備え、かつ箱の上端面及び下端面がそれによって形成される要素を備えた二対の端折り部もブランクを形成する部分である。
【０００４】
前述のブランクのタイプは、長手方向寸法よりも決定的に小さな横断方向寸法を備えたブランクのみを扱う今日の高速包装機で使用するのに適していない他、外側ラッパと内側ラッパの間において相互に不正確に位置決めする問題によって影響される可能性もある。実際、特定の幾何形状のブランクにおいて、横断軸線に直角な軸線回りでブランクを曲げ、前述の実質的に潰れた楕円形状となる位置まで、漸進的にブランクを内側ラッパ周りで管に巻き、この工程で内側ラッパと相互作用することによって箱が形成される。したがって、内側ラッパは、ブランクが次第にその周りで形成されるマンドレルとして全ての意図及び目的に対して機能する。
【０００５】
このタイプの包装作業では、内側ラッパと外側ラッパの間で相対運動を生じる可能性があり、その結果、前述の欠点を生じ、二つのラッパの間の正確な相互位置決めをすることができないということが実験により明らかにされている。
【０００６】
それゆえ、本発明の目的は、前述の欠点を克服することである。
【０００７】
前述の目的は、本発明による、実質的に潰れた楕円形状の断面を有する煙草の箱を製造するためのブランクにおいて、ブランクは、関連の箱の長手軸線と平行な長手軸線を参照することができる実質的に延長矩形外形を備え、長手軸線に沿って整列されて、中央パネルと、二つの中間パネルと、二つの端パネルとを備え、二つの中間パネルの各々は、実質的に潰れた楕円外形を備え、かつ、長手軸線に対して横断して延びている直線状境界に沿って二つの連続したパネルにそれぞれ接合されており、かつ破断なく直線状で連続して各弧状境界によって対で相互接続されており、その一方で、中央パネル及び端パネルは、直線状境界と一致する長手方向端部で終わっている各平坦な中央長手領域と、弧状境界に沿って中間パネルと合うように形成された二つの各側長手バンドとを備えているブランクにおいて実現されている。
【０００８】
本発明はここで添付図面を用いて例として詳細に記載する。
【０００９】
発明の実施の形態
添付図面の図１、２及び３を参照すると、参照番号１は、厚紙などの包装材料で作られた平坦なダイカットブランク全体を示している。この包装材料から箱を形成するために、特に、ブランク１は、平坦なダイカットブランク３から形成された各強化フレーム２と関連し、主長手軸線５を参照することができる関連の煙草の箱４（図７参照）に形成される。箱４は、断面で見た時に実質的に潰れた楕円形状であり、かつ一群の煙草（図示しない）を収容する。
【００１０】
図７を参照すると、箱４は、強固な実施例であり、蓋７が載せられている容器６を備えている。この蓋７は、折り目線８に沿って容器６にヒンジ留めされており、開位置（図示せず）と、蓋７が容器６の開放上端部９を覆いかつフレーム２によってその位置に保持される閉位置との間において回転可能である。
【００１１】
箱４は、実質的に潰れた楕円外形の上端面１０及び下端面１１と、相互に平行な二つの平坦部１３、１４の前後それぞれを有する側面１２とを備えている。二つの平坦部１３、１４は二つの弧状部１５によって相互に接続されている。
【００１２】
図１、２及び３に示すように、ブランク１は、長手軸線１６を参照することができる実質的に延長矩形外形を備え、長手軸線１６に沿って整列されて、中央パネル１７と、二つの中間パネル１８、１９と、二つの端パネル２０、２１とを備えている。端パネル２０は一方の中間パネル１８を介して中央パネル１７に接合されており、端パネル２１は他方の中間パネル１９を介して中央パネル１７に接合されている。
【００１３】
二つの中間パネル１８、１９は、実質的に潰れた楕円外形を備え、長手軸線１６に対して横断して延びている直線状境界２２に沿って、各連続するパネル２０−１７及び２１−１７に接合されており、破断なく直線状で連続した各弧状境界２３によって対応の対で相互に接続されている。
【００１４】
中央パネル１７及び端パネル２０、２１の各々は、前述の直線状境界２２の長さと等しい幅の中央長手領域２４を備えており、これら中央長手領域２４の先端は境界２２と一致し、中間パネル１８、１９はこの境界２２に沿って接合されている。二つの側長手バンド２５は、中央領域２４に平行に延びており、箱４が完成した時に前述の弧状境界２３に沿って中間パネル１８、１９と合うように形成されている。この時、二つの側長手バンド２５はフラップ２６によって同パネル１８、１９に留められている。図１の例では、フラップ２６は、中間パネル１８、１９の弧状境界２３と一体であり、各々が実質的に三角形外形を備えかつ弧状境界２３から放射状に突出している複数の舌部３２で具体化されている。
【００１５】
特に、中央パネル１７の中央長手部分２４は箱４の後平坦部１４と一致し、端パネル２０、２１の中央部２４は箱４の前平坦部１３と一致し、中間パネル１８、１９は箱４の上端面１０及び下端面１１それぞれと一致する。最後に、二つの側長手バンド２５は、箱４の弧状部１５と一致し、かつ狭い重なり部２７に沿って互いに連結されている。
【００１６】
図１の例と比べると、図２及び３の例における側長手バンド２５は、柔軟にされており、箱４が完成した時、中間パネル１８、１９によって設けられる弧状境界線２３の湾曲部に容易に適合しうるように作られている。
【００１７】
図２の例において、側長手バンド２５は、柔軟にされており、要求されている湾曲部にエンボス作用Ｇによって適合することができる。この例において、フラップ２６は、矩形外形を備え、中間パネル１８、１９の弧状境界２３から突出している。
【００１８】
図３の例において、側長手バンド２５は、複数の折り目線２８を形成している作用Ｐによって、要求されている湾曲部に適合することができる。この例において、フラップ２６は、中央パネル１７の側バンド２５と一体であり、かつ長手軸線１６と平行に延びている。
【００１９】
重要なことに、側長手バンド２５と中央領域２４が分離されていることは、境界を明確な線によって示されているのではない。むしろ、側長手バンド２５と中央領域２４は、連続して断絶なく併合しており、平坦部１３、１４と弧状部１５の間において隆起部が形成されることなく箱４を形成することができる。
【００２０】
箱のブランク１についての記載と同様に、図４、５及び６に示されているフレーム２のために利用されているブランク３は、端パネル２１の中央領域２４と当接させられるであろう中央長手領域２９と、端パネル２１の側長手バンド２５と一部で当接させられるであろう二つの側長手バンド３０とを備えている。より正確には、図５の例における側長手バンド３０は、柔軟にされ、側バンド２５に作用するエンボス作用と同様な、フレームのブランク３において同様にＧで示されているエンボス作用によって要求されている湾曲部に適合することができる。その一方で、図６の例の側長手バンド３０は、柔軟にされ、図３中に示されているブランクの対応バンド２５と同じく、複数の折り目線３１を形成している作用Ｐによって、要求されている湾曲部に適合することができる。
【００２１】
フレーム２がそれから形成されるブランク３の場合と同様に、側バンド３０と中央領域２９が分離されていることは、境界を示す明確な線によって示されているのではない。むしろ、バンド３０と中央領域２９は、連続して断絶なく併合しており、かつ箱４の内面と完全に接合することができる。
【図面の簡単な説明】
【図１】
本発明による煙草の箱を製造するためのブランクの平面図である。
【図２】
本発明による煙草の箱を製造するためのブランクの平面図である。
【図３】
本発明による煙草の箱を製造するためのブランクの平面図である。
【図４】
図１において示されているタイプのブランクに関連している各フレームの製造するためのブランクを示している。
【図５】
図２において示されているタイプのブランクに関連している各フレームの製造するためのブランクを示している。
【図６】
図３において示されているタイプのブランクに関連している各フレームの製造するためのブランクを示している。
【図７】
純粋に例として図３のブランクから形成された煙草の箱を示している。
【国際公開パンフレット】
2004516200.tif 000003
2004516200.tif 000004
2004516200.tif 000005
2004516200.tif 000006
2004516200.tif 000007
2004516200.tif 000008
2004516200.tif 000009
2004516200.tif 000010
2004516200.tif 000011
2004516200.tif 000012
2004516200.tif 000013
2004516200.tif 000014
2004516200.tif 000015
2004516200.tif 000016
2004516200.tif 000017
2004516200.tif 000018
2004516200.tif 000019
2004516200.tif 000020
【手続補正書】
【提出日】平成14年12月16日(2002.12.16)
【手続補正１】
【補正対象書類名】明細書
【補正対象項目名】特許請求の範囲
【補正方法】変更
【補正の内容】
【特許請求の範囲】
【請求項１】
煙草の箱を製造するためのダイカットブランクであって、前記ブランクは、関連の箱（４）の長手軸線（５）と平行な長手軸線（１６）を参照することができる実質的に延長矩形外形を備え、前記長手軸線（１６）に沿って整列されて、中央パネル（１７）と、二つの中間パネル（１８、１９）と、二つの端パネル（２０、２１）とを備え、前記パネルの中の前記中間パネル（１８、１９）は、前記長手軸線（１６）に対して横断して延びておりかついかなる不連続のない各弧状境界（２３）によって対で相互接続された直線状境界（２２）に沿って、連続した前記二つのパネル（１７、２０：１７、２１）へそれぞれ接合されており、その一方で、前記中央パネル（１７）及び前記端パネル（２０、２１）は、各平坦な中央長手領域（２４）を備え、前記直線状境界（２２）と一致する長手方向端部で終わっており、二つの各側長手バンド（２５）は、前記弧状境界（２３）に沿って前記中間パネル（１８、１９）に合うように形成されている、ダイカットブランクにおいて、
前記中間パネル（１８、１９）の各々は、潰れた楕円外形の断面を備えた煙草の箱（４）を形成するように、潰れた楕円外形を備えている、ダイカットブランク。
【請求項２】
前記側バンド（２５）は、柔軟にされ、かつ前記弧状境界（２３）の湾曲部に適合することができる請求項１に記載のブランク。
【請求項３】
前記側バンドは、柔軟にされ、かつエンボス作用によって前記湾曲部に適合することができる請求項２に記載のブランク。
【請求項４】
前記側バンドは、柔軟にされ、かつ複数の長手折り目線（２８）を形成している作用によって前記湾曲部に適合することができる請求項２に記載のブランク。
【請求項５】
フラップ（２６）を備え、前記中間パネル（１８；１９）は前記フラップ（２６）によって前記中央パネル（１７）及び前記端パネル（２０、２１）の各々へ接続されている請求項１〜４のいずれか１項に記載のブランク。
【請求項６】
前記フラップ（２６）は、前記中間パネル（１８、１９）の前記弧状境界（２３）と一体である請求項５に記載のブランク。
【請求項７】
前記フラップ（２６）は、実質的に矩形外形であり、前記長手軸線（１６）に対して横断して延びている請求項６に記載のブランク。
【請求項８】
前記フラップ（２６）は、各々が実質的に三角形外形でありかつ前記弧状境界（２３）から放射状に突出している複数の舌部（３２）を備えている請求項６に記載のブランク。
【請求項９】
前記フラップ（２６）は、前記側バンド（２５）と一体であり、かつ前記長手軸線（１６）と平行に延びている請求項５に記載のブランク。
【請求項１０】
容器（６）と、蓋（７）と、フレーム（２）とを備え、前記フレーム（２）は、各平坦なダイカットブランク（３）から形成され、かつ前記端パネル（２０、２１）の中の一つの前記中央長手領域（２４）に与えられた中央領域（２９）と、前記二つの端パネル（２０、２１）の中の一つの前記側長手バンド（２５）に与えられた二つの各側バンド（３０）とを備えた、請求項１〜９のいずれか１項に記載のブランクから製造される強固なタイプの煙草の箱（４）。
【請求項１１】
前記フレーム（２）のために使用される前記ブランク（３）の前記側バンド（３０）は、前記箱のブランク（１）の前記中間パネル（１８、１９）によって設けられている前記弧状境界（２３）の湾曲部に前記側バンド（３０）を適合させることができるように柔軟にされている請求項１０に記載の箱（４）。
【請求項１２】
前記側バンドは、柔軟にされ、エンボス作用によって前記湾曲部に適合することができる請求項１０に記載の箱（４）。
【請求項１３】
前記側バンドは、柔軟にされ、複数の長手折り目線（３１）を形成する作用によって前記湾曲部に適合することができる請求項１０に記載の箱（４）。
【手続補正２】
【補正対象書類名】明細書
【補正対象項目名】０００５
【補正方法】変更
【補正の内容】
【０００５】
このタイプの包装作業では、内側ラッパと外側ラッパの間で相対運動を生じる可能性があり、その結果、前述の欠点を生じ、二つのラッパの間の正確な相互位置決めをすることができないということが実験により明らかにされている。
パック部と、パック部に回動可能に取り付けられた蓋とを備えた、ヒンジ留めされた蓋の煙草用箱が米国特許第５３９２９０５号において公知である。パック部は、前パネルと、後パネルと、二つの横パネルと、底部とを備え、この蓋は、蓋の前パネルと、蓋の後パネルと、二つの側パネルと、端パネルとを備えている。箱の四つの長手方向縁は、丸まっており、複数の平行な溝部によって形成される。箱は、第一ブランクから形成されており、中央パネルと、二つの中間パネルと、二つの端パネルとを備えている。箱の底部及び端パネルを形成している中間パネルは、丸い縁部を有する実質的に矩形である。箱は、別個のブランクから形成された襟部をさらに備えている。
【国際調査報告】
2004516200.tif 000021
2004516200.tif 000022
2004516200.tif 000023